(57)【要約】【課題】バッテリカバーが破損した場合にも継続して使用できる電子機器を提供する。【解決手段】開口部２３２から挿入されたバッテリ２１１を収納するバッテリ収納部２３１と、開口部２３２の縁部にハウジング面１０６ａ側の開口領域が奥側よりも広くなる段状に形成されたカバー配置部２３５と、バッテリ収納部２３１に収納されたバッテリ２１１と当接してこのバッテリ２１１を解除自在にロックするロック機構２４１と、バッテリ収納部２３１に収納されるバッテリ２１１の外部に露出する一面に取り付けられてこのバッテリ２１１がバッテリ収納部２３１に収納された状態で外縁２２３がカバー配置部２３５に配置される形状を有するバッテリカバー２２１と、を備える。【選択図】図２
2009158401.tif 000002
【特許請求の範囲】
【請求項１】
ハウジングと、
前記ハウジングの一面であるハウジング面に形成されてバッテリの挿入を許容する開口部を有し、当該開口部から挿入されたバッテリを収納するバッテリ収納部と、
前記開口部の縁部に、前記ハウジング面側の開口領域が奥側よりも広くなる段状に形成されたカバー配置部と、
前記ハウジングに設けられて前記バッテリ収納部に収納されたバッテリと当接してこのバッテリを解除自在にロックするロック機構と、
前記バッテリ収納部に収納されるバッテリの外部に露出する一面に取り付けられて、当該バッテリが前記バッテリ収納部に収納された状態で外縁が前記カバー配置部に配置される形状を有するバッテリカバーと、
を備える電子機器。
【請求項２】
前記バッテリ収納部に収納されたバッテリの外部に露出する一面に対して前記バッテリカバーを着脱自在にする着脱機構を備える、
請求項１記載の電子機器。
【請求項３】
前記着脱機構は、
前記バッテリカバーに設けられて、前記バッテリ収納部に収納されたバッテリの外部に露出する一面上に平行に設けられた一対のレール部に対してスライド嵌合する嵌合部を備える、
請求項２記載の電子機器。
【請求項４】
前記ロック機構は、
前記バッテリ収納部に収納されたバッテリと前記バッテリカバーとの間に前記レール部の厚みによって形成される隙間に入り込んで当該バッテリを押え付ける押付部材を備える、
請求項３記載の電子機器。
【発明の詳細な説明】
【技術分野】
【０００１】
本発明は、例えばポータブルプリンタ等の電子機器に関する。
【背景技術】
【０００２】
従来、ハウジングにロックされたバッテリによって給電されて駆動するポータブルプリンタ等の電子機器がある（例えば特許文献１参照）。このような電子機器としては、バッテリをバッテリ収納部に収納してロックするものがある。この場合、バッテリ収納部は深さがあるため塵や埃が溜まり易いので、バッテリ収納部の開口部を塞ぐバッテリカバーは必須の構成となる。そして、このような電子機器では、このバッテリカバーによってバッテリはロックされる。つまり、バッテリカバーは電子機器のハウジングにヒンジ等によって開閉自在に設けられており、バッテリカバーを閉じてロックすることにより、バッテリはこのバッテリカバーに押え付けられてバッテリ収納部に収納された状態でロックされる。
【０００３】
【特許文献１】特公平４−３９１３号公報
【発明の開示】
【発明が解決しようとする課題】
【０００４】
ところで、このような電子機器を誤って床面等に落下させて、バッテリカバーを破損させしまうことがある（例えば、バッテリカバーの割れ、バッテリカバーをロックさせる機構の破損等）。このように破損したバッテリカバーでは、バッテリ収納部に収納されたバッテリを押え付けてロックさせることが不可となる。したがって、バッテリカバーのみが破損した電子機器については、その他の各部が正常に機能するにも関わらず、駆動させて使用することができなくなってしまう。
【０００５】
本発明の目的は、バッテリカバーが破損した場合にも継続して使用できる電子機器を提供することである。
【課題を解決するための手段】
【０００６】
本発明の電子機器は、ハウジングと、前記ハウジングの一面であるハウジング面に形成されてバッテリの挿入を許容する開口部を有し、当該開口部から挿入されたバッテリを収納するバッテリ収納部と、前記開口部の縁部に、前記ハウジング面側の開口領域が奥側よりも広くなる段状に形成されたカバー配置部と、前記ハウジングに設けられて前記バッテリ収納部に収納されたバッテリと当接してこのバッテリを解除自在にロックするロック機構と、前記バッテリ収納部に収納されるバッテリの外部に露出する一面に取り付けられて、当該バッテリが前記バッテリ収納部に収納された状態で外縁が前記カバー配置部に配置される形状を有するバッテリカバーと、を備える。
【発明の効果】
【０００７】
本発明によれば、バッテリ収納部に収納されたバッテリをバッテリカバーで押え付けることなくロックすることができるため、バッテリカバーを破損させてしまった場合にも、その電子機器を継続して使用することができる。
【発明を実施するための最良の形態】
【０００８】
本発明の実施の一形態を図１ないし図４に基づいて説明する。本実施の形態の電子機器は、ポータブルプリンタ１０１への適用例である。
【０００９】
図１は、ポータブルプリンタ１０１の斜視図である。本実施の形態のポータブルプリンタ１０１は、バッテリ２１１（図２参照）からの電力供給により駆動され、ハウジング１０２の内部に保持されたロール紙（図示せず）に対して蓄積した印字データに基づく印字を行なう構成を有する。なお、ポータブルプリンタ１０１で使用されるロール紙は、一例として、台紙（図示せず）に複数のラベル（図示せず）が貼付されてロール状に巻回されたラベル用紙（図示せず）である。
【００１０】
ポータブルプリンタ１０１のハウジング１０２は、ベースハウジング１０３と、このベースハウジング１０３に対して開閉自在のロール紙カバー１０４とによって構成されている。
【００１１】
ベースハウジング１０３は、その下部に下カバー部材１０５を有し、その上部に上カバー部材１０６を有する。下カバー部材１０５及び上カバー部材１０６の端部には、コーナバンパ１１５が装着されている。コーナバンパ１１５は、耐衝撃性を有する材料によって構成されている。
【００１２】
ロール紙カバー１０４は、ベースハウジング１０３の正面側に回動開閉自在に取り付けられている。ロール紙カバー１０４を開くことによりロール紙をハウジング１０２の内部に収納することができる。そして、ロール紙カバー１０４を閉じることにより、収納されたロール紙はハウジング１０２の内部に保持される。
【００１３】
ロール紙カバー１０４の詳細について説明する。ロール紙カバー１０４の一端は、ベースハウジング１０３の一側面に設けられたヒンジ１０７によって回動自在に支持されている。ロール紙カバー１０４の先端側となる他端は、ベースハウジング１０３の正面側の領域に回りこんでいる。ロール紙カバー１０４には、印字済みのロール紙が発行される発行口１０９が形成されている。発行口１０９は、ロール紙カバー１０４の外部から見た場合、発行口１０９の奥側に向けてすり鉢状になっている。つまり、発行口１０９には、相対向する二つの傾斜面が形成されており、一方の傾斜面にはカッタ１１０が取り付けられ、他方の傾斜面には複数筋のリブ１１１が突出形成されている。
【００１４】
カッタ１１０は、先端部に刃部１１０ａを有し、この刃部１１０ａによってロール紙をティアカット可能にするティアカット型のカッタである。
【００１５】
リブ１１１は、ロール紙の排出動作を円滑にするために形成された構造物である。したがって、リブ１１１は、ロール紙の排出方向に向けて長く形成されている。
【００１６】
再びベースハウジング１０３の説明に戻る。ベースハウジング１０３を構成する上カバー部材１０６には、接続端子１１８が設けられている。接続端子１１８に通信ケーブル（図示せず）を差し込むことにより、ポータブルプリンタ１０１は、この通信ケーブルを介してデータ送受信を実行して、印字データを受信してメモリ（図示せず）に蓄積することができる。
【００１７】
さらに本実施の形態では、上カバー部材１０６が形成する面（以下、ハウジング面１０６ａと呼ぶ）には、バッテリ２１１（図２参照）が挿入される開口部２３２が形成されており、ハウジング１０２の内部には、開口部２３２から挿入されたバッテリ２１１を収納するバッテリ収納部２３１（図２参照）が設けられている。
【００１８】
ここで、図１に示す状態では、バッテリ２１１は、バッテリ収納部２３１に収納されて、後述するようにロック機構２４１によってロックされている状態である。このとき、バッテリ２１１は、バッテリカバー２２１によって覆われて外部から視認することはできない。
【００１９】
本実施の形態のバッテリカバー２２１は、バッテリ２１１に直接取り付けられており、バッテリ収納部２３１を含むハウジング１０２には、何ら拘束されていない。このようなバッテリ２１１とバッテリカバー２２１とを併せて、以下、バッテリユニット２０１と呼ぶ。
【００２０】
次に、図２に基づいてバッテリユニット２０１及びバッテリ収納部２３１の詳細について説明する。
【００２１】
図２は、バッテリ２１１がバッテリ収納部２３１に収納される状態のポータブルプリンタ１０１をハウジング１０２の一部を切り欠いて示す斜視図である。前述したように、ハウジング１０２には、バッテリ２１１を上カバー部材１０６の側から収納するバッテリ収納部２３１が設けられ、また、上カバー部材１０６には、開口部２３２が形成されている。
【００２２】
バッテリ２１１は、一例として、充電可能なリチウムイオン二次電池であり、四角柱形状を有している。一方、バッテリ収納部２３１はバッテリ２１１よりも僅かに大きい四角柱形状を形成している。これにより、バッテリ２１１はバッテリ収納部２３１に収納される。なお、より詳細には、バッテリ２１１は一側面に上方から下方に向けて大きくなる二つの盛上り部分を有しているため、バッテリ収納部２３１もバッテリ２１１の形状に合わせた二つの盛上り部分を形成している。
【００２３】
本実施の形態では、バッテリ２１１とバッテリ収納部２３１の全長（図２中上下方向の長さ）を比較すると、バッテリ収納部２３１の方が所定距離分長い。したがって、バッテリ２１１がバッテリ収納部２３１の底面まで押し込まれて収納された状態では、バッテリ２１１における開口部２３２側の面（以下、バッテリ上面２１４と呼ぶ）は、ハウジング面１０６ａよりも奥側の位置に位置する（図３（ｃ）参照）。
【００２４】
そして、バッテリ２１１のバッテリ上面２１４には、バッテリカバー２２１が取り付けられている。バッテリカバー２２１におけるバッテリ２１１と対峙する面を、以下、カバー裏面２２２と呼ぶ。なお、図２中、カバー裏面２２２に接続して設けられている部材は、後述するリブ２５４である（図４参照）。
【００２５】
バッテリカバー２２１の面積は、バッテリ２１１のバッテリ上面２１４の面積よりも大きい。したがって、上方向から見た場合、バッテリカバー２２１はバッテリ２１１を隠す。このような、バッテリカバー２２１は、エラストマー製であり、上カバー部材１０６を含むハウジング１０２よりも柔軟性を有する。また、バッテリカバー２２１の一辺は、下方に向けて垂れ下がるように湾曲している。このバッテリカバー２２１の湾曲部分を、以下、湾曲部２２４と呼ぶ。
【００２６】
四角形状に開口した開口部２３２の縁部は、ハウジング面１０６ａ側の開口領域が奥側（バッテリ収納部２３１の底面側）よりも広くなる段状に形成されている。このような開口部２３２の縁部を、以下、カバー配置部２３５と呼ぶ。そして、バッテリカバー２２１は、バッテリ２１１がバッテリ収納部２３１の底面まで押し込まれて収納された状態で、その外縁２２３がカバー配置部２３５に配置される大きさ形状を有している。
【００２７】
また、カバー配置部２３５におけるロール紙カバー１０４とは反対側（図２中左側）の一縁部分は、他のカバー配置部２３５よりも一段低く形成されている。この部分は、バッテリカバー２２１の外縁２２３の一部である湾曲部２２４を配置するカバー湾曲部配置部２３５ａを構成する。したがって、カバー湾曲部配置部２３５ａは、カバー配置部２３５の一部である。
【００２８】
バッテリ２１１がバッテリ収納部２３１に収納され、バッテリカバー２２１の外縁２２３がカバー配置部２３５に配置された状態では、バッテリカバー２２１と上カバー部材１０６のハウジング面１０６ａとは、同一の高さとなって一連の面を形成する（図１参照）。
【００２９】
また、前述したようにバッテリカバー２２１は柔軟性を有する。そのため、バッテリカバー２２１の外縁２２３がカバー配置部２３５に配置された際に、この外縁２２３は垂れ下がってカバー配置部２３５を形成する底面に密着する。これによれば、バッテリカバー２２１の隙間からバッテリ収納部２３１に侵入しようとする埃等をより確実に防ぐことができる。
【００３０】
ところで、バッテリ収納部２３１の底面中央部には、圧縮バネ２３３が配置されている。圧縮バネ２３３は、バッテリ収納部２３１に収納されたバッテリ２１１によって圧縮され、このバッテリ２１１を上方に向けて押圧する。
【００３１】
また、バッテリ収納部２３１の底面の一側には、５個の金属端子（収納部金属端子２３４）が所定間隔で一列に設けられている。一方で、バッテリ２１１の底面の一側にも、５個の金属端子（バッテリ金属端子２１２）が一列に設けられている。バッテリ金属端子２１２は、バッテリ２１１の底面の一側に収納部金属端子２３４と同様の間隔で形成された５個の切欠部２１３にそれぞれ設けられている。バッテリ２１１がバッテリ収納部２３１の底面まで押し込まれて収納された状態で、バッテリ金属端子２１２と収納部金属端子２３４とは互いに接触する。
【００３２】
そして、上カバー部材１０６には、バッテリ収納部２３１に収納されたバッテリ２１１を押え付けるためのロック機構２４１が設けられている。ロック機構２４１は、開口部２３２に対して接離自在にスライド移動する部材であるスライダ２４２を主体に構成されている。スライダ２４２は、上カバー部材１０６のハウジング面１０６ａに形成されたスライド溝２４３に嵌め込まれて、このスライド溝２４３に沿ってスライド移動する。スライダ２４２は、上方に突出したツマミ２４４と、開口部２３２に向けて突出した押付部材としてのツメ２４５とを有する。次に、ロック機構２４１の詳細について図３に基づいて説明する。
【００３３】
図３は、ポータブルプリンタ１０１の一部を示す断面図である。図３（ａ）に示すように、スライダ２４２の下面には、下方に向けて突出した下面部材２４６が設けられている。下面部材２４６は、上カバー部材１０６の内部に設けられた圧縮バネ２４７によって開口部２３２に向かう方向に押圧されている。したがって、図３（ａ）に示すように、通常時のスライダ２４２は、圧縮バネ２４７の押圧力によって、ツメ２４５が開口部２３２に突出した位置に位置付けられている。
【００３４】
図３（ａ）に示す状態では、バッテリ２１１をバッテリ収納部２３１に収納する際に、ツメ２４５がバッテリ２１１を干渉してしまう。そこで、バッテリ２１１をバッテリ収納部２３１に収納するために、まず、スライダ２４２のツマミ２４４を指で摘み、図３（ｂ）中矢視する方向（図３（ｂ）右方向）にスライダ２４２を移動させて位置保持させる。このとき、圧縮バネ２４７は、下面部材２４６によって押圧されて反発力を蓄積する。このようにスライダ２４２を移動させることにより、開口部２３２に突出していたツメ２４５は、開口部２３２から退避する。これにより、バッテリ収納部２３１に収納されるバッテリ２１１にツメ２４５が干渉してしまうことが回避される。
【００３５】
バッテリ２１１をバッテリ収納部２３１の底面まで押し込んで収納した状態では、図３（ｃ）に示すように、バッテリ２１１のバッテリ上面２１４は、ハウジング面１０６ａよりも奥側（図３中下側）に位置する。そして、バッテリ２１１とバッテリカバー２２１との間には隙間が形成されている。このような隙間は、図３（ｃ）中でリブ２５４の下方に位置する部材であるレール部２５２の厚みによって形成されている。レール部２５２は、バッテリ２１１のバッテリ上面２１４に設けられており、バッテリカバー２２１はレール部２５２の上面に載置されて位置保持されている。
【００３６】
バッテリ２１１をバッテリ収納部２３１の底面まで押し込んで収納した状態でスライダ２４２のツマミ２４４から指を離すことにより、反発力を蓄積していた圧縮バネ２４７は復元し、スライダ２４２は再び開口部２３２の方向へと移動する。そして、図３（ｃ）に示すように、スライダ２４２のツメ２４５は、バッテリ２１１のバッテリ上面２１４とバッテリカバー２２１のカバー裏面２２２との間の隙間に入り込む。
【００３７】
ところで、バッテリ収納部２３１に収納されたバッテリ２１１は、バッテリ収納部２３１の底面に配置されている圧縮バネ２３３（図２参照）によって上方に向けて押圧される。このように、上方に向けて押圧されるバッテリ２１１のバッテリ上面２１４をツメ２４５が押え付ける。こうして、ツメ２４５がバッテリ２１１に当接して、このバッテリ２１１はバッテリ収納部２３１に収納された状態でロックされる。つまり、圧縮バネ２３３もロック機構２４１を構成する。バッテリ２１１がバッテリ収納部２３１に収納されてロック機構２４１によってロックされた状態では、バッテリ２１１のバッテリ金属端子２１２とバッテリ収納部２３１の収納部金属端子２３４とは接触状態となっている。
【００３８】
バッテリ２１１をバッテリ収納部２３１から抜き出す場合には、まず、ツメ２４５がバッテリ２１１を押え付けているスライダ２４２を開口部２３２から退避する方向にスライド移動させて位置保持させる。こうして、ロック機構２４１によるバッテリ２１１のロックは解除される。そして、ポータブルプリンタ１０１を開口部２３２が下向きとなる姿勢にすることにより、バッテリ２１１は自重によってバッテリ収納部２３１から抜け出る。
【００３９】
以上説明したように本実施の形態によれば、バッテリ収納部２３１に収納されるバッテリ２１１は、バッテリカバー２２１によってロックされずに、バッテリ金属端子２１２と収納部金属端子２３４とが接触した状態でロック機構２４１によって直接ロックされる。そして、バッテリカバー２２１は、バッテリ２１１にのみ取り付けられている。したがって、仮にポータブルプリンタ１０１を落下させてバッテリカバー２２１を破損させてしまった場合にも、バッテリ２１１をバッテリカバー２２１によるロックを必要とせずにロックすることができるため、ポータブルプリンタ１０１を継続して使用することができる。
【００４０】
また、本実施の形態では、バッテリカバー２２１は、バッテリ２１１に対して着脱自在となっている。このような着脱を実現するのは、着脱機構２５１（図４参照）である。次に、図４に基づいて、着脱機構２５１について説明する。
【００４１】
図４は、バッテリカバー２２１をバッテリ２１１から取り外した状態を示す斜視図である。
【００４２】
バッテリ２１１のバッテリ上面２１４には、棒状の２本のレール部２５２がバッテリ上面２１４と一体に設けられている。レール部２５２は、互いに平行に配列され、バッテリ上面２１４から所定の高さの厚みを有する。
【００４３】
バッテリカバー２２１のカバー裏面２２２には、２列の凹部である嵌合部２５３が所定の厚みを有するリブ２５４によって形成されている。リブ２５４の厚みは、レール部２５２の厚みよりも小さい。嵌合部２５３は、２本のレール部２５２と同様の配置間隔で互いに平行に設けられており、レール部２５２と略同じ幅長を有している。そして、嵌合部２５３の一端側は、リブ２５４が設けられておらずに開放している。この開放部分を開放部２５５と呼ぶ。
【００４４】
レール部２５２と嵌合部２５３とをより詳細に見ると、レール部２５２の両側面には、レール部２５２の長手方向に沿って形成された第２レール部２５２ａが突出形成されている。また、嵌合部２５３の両側面には、凹部である第２嵌合部２５３ａが嵌合部２５３の長手方向に沿って形成されている。第２レール部２５２ａは、第２嵌合部２５３ａに嵌る形状を有している。
【００４５】
バッテリカバー２２１のバッテリ２１１への取り付けは、レール部２５２に対して嵌合部２５３がスライド嵌合することにより実現される。また、バッテリカバー２２１のバッテリ２１１からの取り外しは、レール部２５２と嵌合部２５３との嵌合を解除することにより実現される。したがって、レール部２５２と嵌合部２５３とは、バッテリ２１１に対してバッテリカバー２２１を着脱自在にする着脱機構２５１を構成する。
【００４６】
バッテリカバー２２１をバッテリ２１１への取り付けるためには、第２レール部２５２ａと第２嵌合部２５３ａとが嵌り合う位置で、レール部２５２の一端側を開放部２５５から嵌合部２５３に押し込んでスライドさせる。これにより、レール部２５２が嵌合部２５３に嵌まり込んだ状態となり、バッテリカバー２２１は、バッテリ上面２１４を覆った状態で、バッテリ２１１に対して位置保持される。
【００４７】
バッテリカバー２２１をバッテリ２１１から取り外すためには、バッテリカバー２２１をレール部２５２に沿って引き抜けば良い。これにより、レール部２５２の嵌合部２５３に対する嵌まり込みが解除されて、バッテリカバー２２１はバッテリ２１１に対して自由になる。
【００４８】
そして、本実施の形態では、バッテリカバー２２１を取り外した状態であっても、バッテリ２１１をバッテリ収納部２３１に収納してロック機構２４１によりロックすることができる。このとき、バッテリ上面２１４は、開口部２３２から外部に露出する。
【００４９】
以上説明したように本実施の形態によれば、バッテリカバー２２１を備えているのでバッテリ収納部２３１への塵埃の挿入を防止できる。しかも、ロック機構２４１はバッテリ２１１と当接してこのバッテリ２１１をロックしているので、バッテリカバー２２１が破損した場合でもバッテリ２１１を保持できるため、継続してポータブルプリンタ１０１を使用することができる。
【００５０】
また、着脱機構２５１によりバッテリカバー２２１がバッテリ２１１に対して着脱自在となっているため、例えばポータブルプリンタ１０１を落下させてバッテリカバー２２１のみを破損させた場合にも、破損していない別のバッテリカバー２２１をバッテリ２１１に装着させることができる。
【００５１】
さらに、嵌合部２５３をレール部２５２に沿ってスライドさせるだけでバッテリカバー２２１の着脱を行うことができるので、操作性が良い。さらに、バッテリカバー２２１の着脱を行うようにするための構成であるレール部２５２を設けたことによって生じる隙間を利用して、スライダ２４２のツメ２４５がスライド動作できる空間を確保したことから、バッテリ上面２１４を押えるための構成を簡単なものにすることができる。
【図面の簡単な説明】
【００５２】
【図１】ポータブルプリンタの斜視図である。
【図２】バッテリがバッテリ収納部に収納される状態のポータブルプリンタをハウジングの一部を切り欠いて示す斜視図である。
【図３】ポータブルプリンタの一部を示す断面図である。
【図４】バッテリカバーをバッテリから取り外した状態を示す斜視図である。
【符号の説明】
【００５３】
１０１…ポータブルプリンタ（電子機器）、１０２…ハウジング、１０６ａ…ハウジング面、２１１…バッテリ、２１４…バッテリ上面（バッテリの外部に露出する一面）、２２１…バッテリカバー、２２３…外縁、２３１…バッテリ収納部、２３２…開口部、２３５…カバー配置部、２３５ａ…カバー湾曲部配置部（カバー配置部）、２４１…ロック機構、２４５…ツメ（押付部材）、２５１…着脱機構、２５２…レール部、２５３…嵌合部
【図１】
2009158401.tif 000003
【図２】
2009158401.tif 000004
【図３】
2009158401.tif 000005
【図４】
2009158401.tif 000006